(57)【特許請求の範囲】
【請求項１】
机等の少なくとも一側部に配設され、天板を支持するようにした机等における側部脚体構造であって、
前後方向を向く下方の水平脚杆と上方の水平支持杆とを、その間の後端と中間部に後部支柱と中間支柱を挟んで取付けることにより、方形の脚枠を形成し、該脚枠内における少なくとも前後に対向する前記後部支柱の前面と中間支柱の後面とに、上下方向を向く嵌合溝を形成するとともに、前記脚枠内の空間部を閉塞する側板の前後の端縁に、左右の寸法が前記嵌合溝の溝幅とほぼ等しい保持部材を嵌合し、該保持部材を前記嵌合溝に摺動可能に嵌合することにより、前記脚枠内に側板を取付けたことを特徴とする机等における側部脚体構造。
【請求項２】
側板が板金よりなり、かつ中央部が開口された外側方に膨出する膨出部の内端縁に枠状フランジを備える基板と、膨出部の外面に固着されたパンチングプレートとにより構成されている請求項１に記載の机等における側部脚体構造。
【請求項３】
側板の前後の端縁に複数の切欠溝を形成し、この切欠溝に保持部材を嵌合した請求項１または２に記載の机等における側部脚体構造。
【請求項４】
保持部材を、合成樹脂、もしくは硬質ゴムにより形成した請求項１ないし３のいずれかに記載の机等における側部脚体構造。
【発明の詳細な説明】
【０００１】
【発明の属する技術分野】
本発明は、天板を支持する机等の側部の脚体構造に関する。
【０００２】
【従来の技術】
机等の側部の脚体は、これまで金属もしくは木製により一体的に形成されているものが多かったが、最近においては、強度や見栄えを向上するために、アルミニウム合金等により一部を枠状に形成し、その枠内に化粧板等の側板を装着して脚体を構成したものがある。
【０００３】
【発明が解決しようとする課題】
上述のように、脚体の枠内に側板を装着するには、通常、側板の前後の縁部を、枠状をなす前後の支柱の対向面に形成した上下方向を向く嵌合溝に、上方に抜き外し可能として嵌合するようにしている。
【０００４】
この際、脚体と側板との分別廃棄等を容易とするために、支柱の嵌合溝と側板の縁部との嵌合代を若干緩くし、側板を簡単に抜き外せるようにしていることが多い。
【０００５】
しかし、このようにすると、側板と中間支柱との嵌合部にがたが生じ、側板を金属製とした際などには、金属的な不快ながた付き音が発生することがある。
【０００６】
本発明は、上記問題点を解決するためになされたもので、側板を嵌め込みにより脚体に装着しても、それらの嵌合部にがたやがた付き音が発生したりするのを防止し得るようにした机等における側部脚体構造を提供することを目的としている。
【０００７】
【課題を解決するための手段】
上記目的を達成するために、本発明の机等における側部脚体構造は、机等の少なくとも一側部に配設され、天板を支持するようにした机等における側部脚体構造であって、前後方向を向く下方の水平脚杆と上方の水平支持杆とを、その間の後端と中間部に後部支柱と中間支柱を挟んで取付けることにより、方形の脚枠を形成し、該脚枠内における少なくとも前後に対向する前記後部支柱の前面と中間支柱の後面とに、上下方向を向く嵌合溝を形成するとともに、前記脚枠内の空間部を閉塞する側板の前後の端縁に、左右の寸法が前記嵌合溝の溝幅とほぼ等しい保持部材を勘合し、該保持部材を前記嵌合溝に摺動可能に勘合することにより、前記脚枠内に側板を取付けたことを特徴としている。
上記構成の側部脚体構造によれば、脚枠内の空間部を閉塞する側板の前後の端縁に、それが嵌合される溝幅とほぼ等しい寸法の保持部材を摺動可能に嵌合することにより、側板と、その嵌合溝との寸法が異なっていても、側板を脚枠内にがたなく取付けることができる。
【０００８】
上記側部脚体構造において、側板が板金よりなり、かつ中央部が開口された外側方に膨出する膨出部の内端縁に枠状フランジを備える基板と、膨出部の外面に固着されたパンチングプレートとにより構成されているのが好ましい。
このようにすると、側板が板金により形成されていても、強度が大となるので、板厚方向に撓んだり、凹みが生じたりすることがない。
【０００９】
上記側部脚体構造において、側板の前後の端縁に複数の切欠溝を形成し、この切欠溝に保持部材を嵌合するのが好ましい。
このようにすると、保持部材の上下寸法を短寸としても、嵌合溝への挿入時又は抜き外す際に上下に位置ずれすることはない。
【００１０】
上記側部脚体構造において、保持部材を、合成樹脂、もしくは硬質ゴムにより形成するのが好ましい。
このようにすると、保持部材は緩衝作用を有するので、万一寸法誤差等により、側板と嵌合溝との間に隙間が形成されても、がた付き音が発生することはない。
【００１１】
【発明の実施の形態】
以下、本発明の実施形態を図面に基づいて説明する。
【００１２】
図１は、本発明を適用した机の斜視図、図２は、同じく側面図を示すもので、机Ａは、アルミニウム合金よりなる側面視コ字形の左右１対の脚体１，１と、その後端部間に取付けられた幕板２と、左右の脚体１における水平支持杆３の上面に取付けられた天板４とから構成されている。
【００１３】
上記各脚体１における水平支持杆３と水平脚杆５の後端及び中間部は、後部支柱６と中間支柱７とにより結合され、これら両支柱６，７，水平支持杆３，及び水平脚杆５により、縦長方形の脚枠８が形成されている。脚枠８内の空間部には、ステンレス等の鋼板よりなる側板９が、後述するようにして嵌め込まれている。
【００１４】
図３に示すように、左右の脚体１（左右共通に付き、一方のみ図示する）の後部支柱６と中間支柱７における対向面の外側と内側とには、上下方向を向く嵌合溝１０，１１が対向状に形成され、外側の両嵌合溝１０間には、上記側板９が、また内側の両嵌合溝１１間には、合成樹脂よりなるダクトカバー１２が、それぞれ取付けられている。
【００１５】
側板９とダクトカバー１２間の隙間１３は、配線スペースとされ、天板４上に載置されたＯＡ機器１４のコード類を、挿通孔１５を通して隙間１３に配線することができる。なお、ダクトカバー１２は可撓性を有し、嵌合溝１１への着脱を容易としてある。
【００１６】
側板９は、図４ないし図６に示すように、外側方に膨出する逆コ字形断面をなす縦長方形状の膨出部１６ａの内周端縁に、枠状フランジ１６ｂが連設され、かつ膨出部１６ａの中央部に、縦長方形状の開口部１７を備える基板１６と、膨出部１６ａより若干大き目の方形をなすパンチングプレート１８とにより構成されている。
【００１７】
枠状フランジ１６ｂにおける前後の幅寸法は、上記後部支柱６と中間支柱７との嵌合溝１０の対向面間の寸法よりも若干短寸とされ、また同じく上下寸法は、脚枠８内における水平支持杆３と水平脚杆５との対向面間の寸法とほぼ同等としてある。
【００１８】
前後の枠状フランジ１６ｂの上下の端部には、コ字状の切欠溝１９が前後同位置に形成されている。２０は、上記各切欠溝１９に嵌着される保持部材で、合成樹脂により形成されている。
【００１９】
保持部材２０は、図６及び図７に示すように、上下両面に、切欠溝１９に係合可能な係合溝２１，２１が前後方向を向いて形成され、かつ係合溝２１内の対向面には、枠状フランジ１６ｂの左右両面に当接する円弧状の突部２２が形成されている。
【００２０】
保持部材２０の外方の端部には、側方、すなわちパンチングプレート１８側に突出するガイド片２３が連設され、このガイド片２３の端面と保持部材２０の内端面間の幅寸法は、支柱６，７の嵌合溝１０の奥部の溝幅とほぼ同等に形成され、嵌合溝１０内にがたなく嵌合されるようになっている。
【００２１】
側板９を脚枠８内に取付けるには、次のようにして行う。
【００２２】
まず側板９の各切欠溝９に保持部材２０を嵌合する。次いで、脚体１における水平支持杆３を後部支柱６と中間支柱７の上端に取付ける前に、それらの支柱６，７の上端より、その両嵌合溝１０に向かって側板９を落とし込み、枠状フランジ１６ｂの切欠溝１９に嵌着した前後の保持部材２０を、両嵌合溝１０に上方より挿入して嵌合する。
【００２３】
これにより側板９は、各保持部材２０が両支柱６，７の嵌合溝１０内に隙間なく嵌合されることにより、両支柱６，７により側方にがたなく保持される。
【００２４】
また、嵌合溝１０には、保持部材２０のみが接触しており、その摺動抵抗が小さいため、側板９を上方へ抜き外す際も容易となる。
【００２５】
側板９を脚枠８内に装着した後、水平支持杆３を両支柱６，７の上端に取付け、水平支持杆３上に天板４を取付ければ、机Ａが組立てられる。
【００２６】
以上説明したように、側板９と、それが嵌合される嵌合溝１０との寸法が異なっていても、側板９に、嵌合溝１０の溝幅とほぼ等しい大きさの保持部材２０を取付けることにより、側板９を脚枠８内にがたなく取付けることができる。
【００２７】
また、万一寸法精度に誤差が生じるなどして、嵌合溝１０と保持部材２０との間に隙間が形成されても、保持部材２０は合成樹脂製であるため、金属的ながた付き音が発生する恐れもない。
【００２８】
さらに、保持部材２０の形状を変えるのみで、両支柱６，７を変えずに、異なる厚さの側板９を取付けることもできる。
【００２９】
なお、上記実施形態では、短寸の保持部材２０を複数用いているが、前後の枠状フランジ１６ｂのほぼ全長に亘って、長寸とした保持部材を嵌合してもよい。
【００３０】
また、保持部材２０の材質は、硬質のゴム製としてもよい。
【００３１】
側板９は、上記鋼板製の外、木製又は合成樹脂製等の化粧板を用いることもできる。
【００３２】
【発明の効果】
本発明によれば、次のような効果を奏することができる。
【００３３】
（ａ）請求項１に記載の発明によれば、側板と、それが嵌合される嵌合溝との寸法が異なっていても、側板に取付けた保持部材により、側板をがたなく脚枠内に取付けることができる。
【００３４】
また、保持部材の形状を変えるのみで、脚枠の支柱を変えることなく、異なる厚さ又は形状の側板を取付けることができる。
【００３５】
（ｂ）請求項２に記載の発明によれば、側板を板金により形成しても、強度が大となるので、板厚方向に撓んだり、凹みが生じたりするのが防止される。
【００３６】
また、パンチングプレートにより意匠的効果が高まる。
【００３７】
（ｃ）請求項３に記載の発明によれば、保持部材の上下寸法を短寸としても、嵌合溝への挿入時や抜き外す際に上下に位置ずれするのが防止される。
【００３８】
（ｄ）請求項４に記載の発明によれば、保持部材は緩衝作用を有するので、万一寸法誤差等により、側板と脚枠との嵌合部に隙間が形成されても、がた付き音が発生することはない。
【図面の簡単な説明】
【図１】本発明を適用した机の斜視図である。
【図２】同じく側面図である。
【図３】図２のＩＩＩ−ＩＩＩ線の拡大横断平面図である。
【図４】側板の内側面図である。
【図５】図４のＶ−Ｖ線の拡大横断平面図である。
【図６】側板の一部と、その切欠溝に取付けられる保持部材との斜視図である。
【図７】保持部材における図６のＶＩＩ−ＶＩＩ線に沿う拡大縦断正面図である。
【符号の説明】
１              脚体
２              幕板
３              水平支持杆
４              天板
５              水平脚杆
６              後部支柱
７              中間支柱
８              脚枠
９              側板
１０，１１      嵌合溝
１２            ダクトカバー
１３            隙間
１４            ＯＡ機器
１５            挿通孔
１６            基板
１６ａ          膨出部
１６ｂ          枠状フランジ
１７            開口部
１８            パンチングプレート
１９            切欠溝
２０            保持部材
２１            係合溝
２２            突部
２３            ガイド片
Ａ              机
【図１】
0003621674.tif 000002
【図２】
0003621674.tif 000003
【図３】
0003621674.tif 000004
【図４】
0003621674.tif 000005
【図５】
0003621674.tif 000006
【図６】
0003621674.tif 000007
【図７】
0003621674.tif 000008